【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
芳香シートと、携帯電話本体および上記芳香シートから選択される少なくとも一方を制御する１つ以上の制御手段と、を備え、
上記芳香シートが、
透気性を有するシート状基材と、
該シート状基材の一部領域を選択的に加熱する加熱素子と、
少なくとも該加熱素子により選択的に加熱される加熱領域内に配置され、芳香成分を含有する芯材および該芯材を被覆すると共に加熱により破壊される外殻材を含むマイクロカプセルと、を有し、
少なくとも上記芳香シートを制御する機能を有する制御手段により上記芳香成分を外部に揮散させる制御信号が入力された際に、少なくとも１つの加熱領域にて加熱を行い、上記芳香成分を外部に揮散させることを特徴とする携帯電話。
【請求項２】
音声情報および画像情報から選択される少なくともいずれかを再生する機能を少なくとも有することを特徴とする請求項１に記載の携帯電話。
【請求項３】
前記芳香シートが、２つ以上の加熱領域を有することを特徴とする請求項１または請求項２に記載の携帯電話。
【請求項４】
一の加熱領域内に配置されるマイクロカプセルに第一の芳香成分が内包され、他の加熱領域内に配置されるマイクロカプセルに上記第一の芳香成分とは異なる種類の第二の芳香成分が内包されることを特徴とする請求項３に記載の携帯電話。
【請求項５】
少なくとも前記芳香シートを制御する制御手段が、押しボタン、つまみ、レバー、および、タッチパネルに表示された押しボタンから選択される少なくとも１種であることを特徴とする請求項１〜４のいずれか１項に記載の携帯電話。
【請求項６】
通話を開始する機能を有する押しボタンを備え、該押しボタンを押すことに連動させて前記芳香成分を外部に揮散させる芳香機能を発揮させることを特徴とする請求項５に記載の携帯電話。
【請求項７】
手動により少なくとも２種類以上の異なる形状に可逆的に変形可能であり、一の形状から他の形状への変形動作が、少なくとも前記芳香シートを制御する制御手段として機能し、上記変形動作に連動させて芳香成分を外部に揮散させる芳香機能を発揮することを特徴とする請求項１〜６のいずれか１項に記載の携帯電話。
【請求項８】
閉じた形状と開いた形状とに可逆的に変形可能であり、上記閉じた形状から上記開いた形状への変形動作に連動させて前記芳香機能を発揮させることを特徴とする請求項７に記載の携帯電話。
【請求項９】
芳香シートと、
外部から送信される通信情報を自動的に受信すると共に上記通信情報を受信した際に受信信号を発信する機能を備えた受信手段と、を備え、
上記芳香シートが、
透気性を有するシート状基材と、
該シート状基材の一部領域を選択的に加熱する加熱素子と、
少なくとも該加熱素子により選択的に加熱される加熱領域内に配置され、芳香成分を含有する芯材および該芯材を被覆すると共に加熱により破壊される外殻材を含むマイクロカプセルと、を有し、
上記受信信号の発信と連動して、少なくとも１つの加熱領域にて加熱を行い、上記芳香成分を外部に揮散させることを特徴とする携帯電話。
【手続補正２】
【補正対象書類名】明細書
【補正対象項目名】発明の名称
【補正方法】変更
【補正の内容】
【発明の名称】携帯電話
【手続補正３】
【補正対象書類名】明細書
【補正対象項目名】０００１
【補正方法】変更
【補正の内容】
【０００１】
本発明は、携帯電話に関するものである。
【手続補正４】
【補正対象書類名】明細書
【補正対象項目名】０００９
【補正方法】変更
【補正の内容】
【０００９】
本発明は、上記事情に鑑みてなされたものである。すなわち、第一の本発明は、芳香機能を有していても大型化を抑制できると共に、芳香成分の利用効率が高く、且つ、芳香機能以外の機能を発揮させる為に必要な行為とも連動させて芳香機能を発揮させることが可能な携帯電話を提供することを課題とする。
【手続補正５】
【補正対象書類名】明細書
【補正対象項目名】００１０
【補正方法】変更
【補正の内容】
【００１０】
また、第二の本発明は、芳香機能を有していても大型化を抑制できると共に、芳香成分の利用効率が高く、且つ、通信情報を自動的に受信した際に、これと連動させて芳香機能を発揮させることが可能な携帯電話を提供することを課題とする。
【手続補正６】
【補正対象書類名】明細書
【補正対象項目名】００１１
【補正方法】変更
【補正の内容】
【００１１】
上記課題は以下の本発明により達成される。すなわち、
第一の本発明の携帯電話は、芳香シートと、携帯電話本体および上記芳香シートから選択される少なくとも一方を制御する１つ以上の制御手段と、を備え、上記芳香シートが、透気性を有するシート状基材と、該シート状基材の一部領域を選択的に加熱する加熱素子と、少なくとも該加熱素子により選択的に加熱される加熱領域内に配置され、芳香成分を含有する芯材および該芯材を被覆すると共に加熱により破壊される外殻材を含むマイクロカプセルと、を有し、少なくとも上記芳香シートを制御する機能を有する制御手段により上記芳香成分を外部に揮散させる制御信号が入力された際に、少なくとも１つの加熱領域にて加熱を行い、上記芳香成分を外部に揮散させることを特徴とする。
【手続補正７】
【補正対象書類名】明細書
【補正対象項目名】００１２
【補正方法】変更
【補正の内容】
【００１２】
第一の本発明の携帯電話の一実施態様は、音声情報および画像情報から選択される少なくともいずれかを再生する機能を少なくとも有することが好ましい。
【手続補正８】
【補正対象書類名】明細書
【補正対象項目名】００１３
【補正方法】変更
【補正の内容】
【００１３】
第一の本発明の携帯電話の一実施態様は、前記芳香シートが、２つ以上の加熱領域を有することが好ましい。
【手続補正９】
【補正対象書類名】明細書
【補正対象項目名】００１４
【補正方法】変更
【補正の内容】
【００１４】
第一の本発明の携帯電話の一実施態様は、一の加熱領域内に配置されるマイクロカプセルに第一の芳香成分が内包され、他の加熱領域内に配置されるマイクロカプセルに上記第一の芳香成分とは異なる種類の第二の芳香成分が内包されることが好ましい。
【手続補正１０】
【補正対象書類名】明細書
【補正対象項目名】００１５
【補正方法】変更
【補正の内容】
【００１５】
第一の本発明の携帯電話の一実施態様は、少なくとも前記芳香シートを制御する制御手段が、押しボタン、つまみ、レバー、および、タッチパネルに表示された押しボタンから選択される少なくとも１種であることが好ましい。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
第一の本発明の携帯電話の一実施態様は、通話を開始する機能を有する押しボタンを備え、該押しボタンを押すことに連動させて前記芳香成分を外部に揮散させる芳香機能を発揮させることが好ましい。
【手続補正１３】
【補正対象書類名】明細書
【補正対象項目名】００１８
【補正方法】変更
【補正の内容】
【００１８】
第一の本発明の携帯電話の一実施態様は、手動により少なくとも２種類以上の異なる形状に可逆的に変形可能であり、一の形状から他の形状への変形動作が、少なくとも前記芳香シートを制御する制御手段として機能し、上記変形動作に連動させて芳香成分を外部に揮散させる芳香機能を発揮することが好ましい。
【手続補正１４】
【補正対象書類名】明細書
【補正対象項目名】００１９
【補正方法】変更
【補正の内容】
【００１９】
第一の本発明の携帯電話の一実施態様は、閉じた形状と開いた形状とに可逆的に変形可能であり、上記閉じた形状から上記開いた形状への変形動作に連動させて前記芳香機能を発揮させることが好ましい。
【手続補正１５】
【補正対象書類名】明細書
【補正対象項目名】００２０
【補正方法】変更
【補正の内容】
【００２０】
第二の本発明の携帯電話は、芳香シートと、外部から送信される通信情報を自動的に受信すると共に上記通信情報を受信した際に受信信号を発信する機能を備えた受信手段と、を備え、上記芳香シートが、透気性を有するシート状基材と、該シート状基材の一部領域を選択的に加熱する加熱素子と、少なくとも該加熱素子により選択的に加熱される加熱領域内に配置され、芳香成分を含有する芯材および該芯材を被覆すると共に加熱により破壊される外殻材を含むマイクロカプセルと、を有し、上記受信信号の発信と連動して、少なくとも１つの加熱領域にて加熱を行い、上記芳香成分を外部に揮散させることを特徴とする。
【手続補正１６】
【補正対象書類名】明細書
【補正対象項目名】００２１
【補正方法】変更
【補正の内容】
【００２１】
第一の本発明によれば、芳香機能を有していても大型化を抑制できると共に、芳香成分の利用効率が高く、且つ、芳香機能以外の機能を発揮させる為に必要な行為とも連動させて芳香機能を発揮させることが可能な携帯電話を提供することができる。
【手続補正１７】
【補正対象書類名】明細書
【補正対象項目名】００２２
【補正方法】変更
【補正の内容】
【００２２】
また、第二の本発明によれば、芳香機能を有していても大型化を抑制できると共に、芳香成分の利用効率が高く、且つ、通信情報を自動的に受信した際に、これと連動させて芳香機能を発揮させることが可能な携帯電話を提供することができる。
【手続補正１８】
【補正対象書類名】明細書
【補正対象項目名】００２３
【補正方法】変更
【補正の内容】
【００２３】
＜第一の発明＞
以下、第一の本発明について説明する。
第一の本実施形態の電子機器（当該電子機器の一実施形態として、「携帯電話」を含む。以下同様）は、芳香シートと、電子機器本体および上記芳香シートから選択される少なくとも一方を制御する１つ以上の制御手段と、を備え、上記芳香シートが、透気性を有するシート状基材と、該シート状基材の平面方向の一部の領域を選択的に加熱する１つ以上の加熱素子と、少なくとも上記加熱素子の近傍に配置され、芳香成分を含有する芯材および該芯材を被覆すると共に加熱により破壊される外殻材を含むマイクロカプセルと、を有し、少なくとも上記芳香シートを制御する機能を有する制御手段により上記芳香成分を外部に揮散させる制御信号が入力された際に、少なくとも１つの加熱領域にて加熱を行い、上記芳香成分を外部に揮散させることを特徴とする。